(57)【要約】【課題】着物を着姿に近い状態で展示する装置において、自立したスタンド形にすることにより任意の場所に陳列可能で、おはしょりの量を設定したら、その状態が安定して保たれる着物陳列装置を提供する。【解決手段】床に置くための台部と、該台部から垂直上方に立設した支柱と、該支柱の上端部に取り付けた上部水平棒と、該上部水平棒から垂下された着物支え棒と、前記上部水平棒のそれぞれ両端に、出入り自在に取り付けられた袖支え棒と、前記上部水平棒から垂下された一対の紐と、該一対の紐にフックを介して両端部を支えられた少なくとも二本の両端支持棒と、前記一対の紐を下端で支える紐掛け部から成る着物陳列用スタンド。【選択図】図２
2015150301.tif 000002
【特許請求の範囲】
【請求項１】
着物を着姿に近い状態で陳列するためのスタンドであり、床に置くための台部（１）と、該台部から垂直上方に立設した支柱（２）と、該支柱の上端部に取り付けた上部水平棒（３）と、該上部水平棒から垂下された着物支え棒（４）と、前記上部水平棒のそれぞれ両端に、出入り自在に取り付けられた袖支え棒（５）と、前記上部水平棒から垂下された一対の紐（６）と、該一対の紐にフック（７）を介して両端部を支えられて、水平に、かつ段違いに取付られた少なくとも二本の両端支持棒（８）と、前記一対の紐をそれぞれ下端で支える紐掛け部（９）から成り、前記二本の両端支持棒で着物を折り返すことによって、おはしょり部を形成した際に、前記紐掛け部で前記紐の下端を支えることにより、紐のたるみが制限され、その結果、前記おはしょりの量が変化しにくい構造であることを特徴とする着物陳列用スタンド。
【請求項２】
前記紐（６）に、前記フック（７）を任意の高さ、又は一定間隔ごとの複数の高さで支えるための手段が設けられていることにより、前記両端支持棒（８）の上下方向位置を調節でき、これにより、おはしょりの位置、及び／又は、おはしょりの量、及び／又は、両端支持棒に掛けた帯の位置を調節可能であることを特徴とする請求項１に記載した着物陳列スタンド。
【発明の詳細な説明】
【技術分野】
【０００１】
本発明は、着物と帯の陳列・展示に使用する装置に関するものである。
【背景技術】
【０００２】
着物や帯を陳列する装置は、着物を広げた状態やたたんだ状態で陳列するものや、反物・帯をそのまま掛けるだけのものが一般的だった。
これに対して、本出願人は特許文献１で示したように、着物を着姿に近い状態で展示できるハンガーを発明した。
【０００３】
しかしながら、特許文献１に示したハンガーには、コンパクトに収納できて、部品点数が少なく、比較的安価に製作できる利点があったが、次の２つの欠点があった。
【０００４】
第一の欠点は、ハンガータイプだったので、別に一定高さの懸架部分（壁などに固定したフックなど）又は懸架装置（衣桁など）が必要であり、任意の場所に移動することが容易でなかったことである。
第二の欠点は、特許文献１の図６にて、おはしょり形成棒５ｂ、５ｃを支えるテープ状の紐４が、下方に垂れ下がっているだけだったので、例えば、おはしょりの量（前後に重なっている量）をせっかく調節しても、着物の裾（下端部分）を下に引けば、おはしょり形成棒５ｃが上に上がってしまい、おはしょりの量が減ってしまうという問題があった。
【先行技術文献】
【特許文献】
【０００５】
【特許文献１】特許第４６０５４８７号
【発明の概要】
【発明が解決しようとする課題】
【０００６】
本発明は、着物を着姿に近い状態で展示する装置において、上記２つの欠点を解決するために成されたものである。
すなわち、自立したスタンド形にすることにより任意の場所に陳列可能で、一旦おはしょりの量を設定したら、その量が安定して保たれる着物陳列装置を提供することにある。
【課題を解決するための手段】
【０００７】
床に置くための台部と、該台部から垂直上方に立設した支柱と、該支柱の上端部に取り付けた上部水平棒と、該上部水平棒から垂下された着物支え棒と、前記上部水平棒のそれぞれ両端に、出入り自在に取り付けられた袖支え棒と、前記上部水平棒から垂下された一対の紐と、該一対の紐にフックを介して両端部を支えられて、水平に、かつ段違いに取付られた少なくとも二本の両端支持棒と、前記一対の紐をそれぞれ下端で支える紐掛け部から成り、前記二本の両端支持棒で着物を折り返すことによって、おはしょり部を形成した際に、前記紐掛け部で前記紐の下端を支えることにより、紐のたるみが制限され、その結果、前記おはしょりの量が変化しにくいことを特徴とする着物陳列用スタンドである。
【０００８】
さらに、前記紐に、前記フックを任意の高さ、又は一定間隔ごとの複数の高さで支えるための手段が設けられていることにより、前記両端支持棒の上下方向位置を調節でき、これにより、おはしょりの位置、及び／又は、おはしょりの量、及び／又は、両端支持棒に掛けた帯の位置を調節可能とした。
【発明の効果】
【０００９】
着物を着姿に近い状態、すなわち、着物の身頃を人間の身幅に調節できる機能と、おはしょりの形成により着丈を調節できる機能を持ちながら、任意の場所に移動して自立して置くことができるので、店や展示場のレイアウトを自由に設定することができる。
【００１０】
着物を着姿に近い状態で展示することにより、色や柄のイメージを正確に認識できる効果がある。
【００１１】
一旦、おはしょりの量を設定すると、その量が安定しているので、着物を本スタンドに装着する際の作業が楽になり、且つ、移動や展示中の形崩れがしにくくなった。
【図面の簡単な説明】
【００１２】
【図１】本発明による着物陳列スタンドの正面図
【図２】本発明による着物陳列スタンドの使用状態における正面図
【図３】本発明による着物陳列スタンドの使用状態における側面図（支柱２の中ほど及び上部は省略してある）
【図４】本発明による着物陳列スタンドの使用状態における平面図（図２におけるＡ−Ａ断面図）
【図５】紐６と両端支持棒のフック７の連結方法の例
【発明を実施するための形態】
【００１３】
図１は、本発明による着物陳列用スタンドの正面図である。
床に置かれた台部１に、支柱２が垂直上方に保持されており、支柱２の上端部に、上部水平棒３が、左右対称になるように固定されている。
前記上部水平棒３の中央に、吊り紐１０によって着物支え棒４が垂下されている。
尚、着物支え棒４の垂下手段は、吊り紐１０の代わりに、針金状のフックで、上部水平棒３に引っかける構造でも良い。
【００１４】
上部水平棒３の形状は、円筒形又は四角パイプ状が好ましく、両端の穴から、Ｕ字形（又はＪ字形）の袖支え棒５が、出入り自在に挿入されている。
【００１５】
上部水平棒３から、ほぼ左右対称に、着物支え棒４の長さよりやや狭い間隔で、一対の紐６が垂下されており、それぞれの紐６の下端部が、支柱２に取り付けられた紐掛け部９に保持されている。
紐掛け部９の高さ位置は、後で説明するおはしょり形成棒８ｃより下で、かつ、着物の裾より高ければどこでも良い。
【００１６】
紐６は、図３の側面図に示したように、例えば幅広のリボン状のテープを２枚合わせ、一定間隔で縫いあわせたものであり、一定間隔で穴が形成されている。
両端支持棒８の両端に出入り自在に挿入したＵ字型のフック部７を、紐６の穴に挿入することにより、両端支持棒８の取付高さを調節することができる。
【００１７】
両端支持棒は、通常３本使用する。最も上の両端支持棒８ａは帯を引っかけるために使用し、下の２本の両端支持棒８ｂ、８ｃは、おはしょりを形成するために使用する。
【００１８】
図２は、本発明による着物陳列用スタンドに着物を装着した状態の正面図、図３は、左側面図、図４は平面図（図２におけるＡ−Ａ断面図）である。
襟部から着物支え棒４を入れて、着物の肩部を掛け、袖支え棒５を左右の外側から着物の袖にそれぞれ通し、着物支え棒４にかけた着物の前身頃の幅を着姿と同じ程度の幅に調整し、図４に示したように余った幅は裏側に折り込んでおく。
【００１９】
次に図３に示したように、着物の腰部分を、両端支持棒８ｃに通してから上方向・裏側に折り込み、おはしょり部分の長さに適した位置で、両端支持棒８bに掛けてから下方向へ折り返す。
側面から見るとS字状に着物が折り返される形になり、おはしょり部分が作られる。
このS字状に着物が重なっている上下幅を、おはしょりの量とする。
本発明によって、紐６の下端部分が、紐掛け部９によって保持されているので、着物を両端支持棒８ｃに通してから、上方向に引いても、両端支持棒８ｃが上に動かないので、作業が楽になり、おはしょりの量が安定し、仕上がりもきれいになった。
【００２０】
帯を陳列する場合、図２〜図４に示したように、両端支持棒８ａにたたんだ帯を通し、着物の前身頃表側に置く。その際、着姿に近い位置に帯位置を決める。
当然、帯を陳列しない場合は、両端支持棒８ａは装着しない。
【００２１】
図４に示したように、両端支持棒８を、Ｕ字形のフック７を介して、紐６に装着することにより、一対の紐６の取付間隔を身幅より狭くすることができ、紐６を正面から見えないようにすることができる。
【００２２】
図１、２、４では、支柱２を中央に１本設けるとして説明したが、細めの支柱２本を左右に間隔を置いて設置しても良い。
また、支柱２を伸縮可能にして、高さを調節できるようにしても良い。
移動を容易にするために、台部１の下面にキャスターを取り付けても良い。
【００２３】
紐６にフック７を保持させる方法については、図５に示したように、フックを保持するための穴付部品１１を別に設けて、該穴付部品１１を幅広の紐６の表面に、例えば面ファスナー１２を介して装着しても良く、この場合は任意の高さに両端支持棒８を取り付けることができる。
【符号の説明】
【００２４】
１    台部
２    支柱
３    上部水平棒
４    着物支え棒
５    袖支え棒
６    紐
７    フック
８ａ  両端支持棒（帯掛け用）
８ｂ、８ｃ  両端支持棒（おはしょり形成棒）
９    紐掛け部
１０  吊り紐
１１  穴付部品
１２  面ファスナー
【図１】
2015150301.tif 000003
【図２】
2015150301.tif 000004
【図３】
2015150301.tif 000005
【図４】
2015150301.tif 000006
【図５】
2015150301.tif 000007